(57)【要約】【課題】  この発明は、アンテナで受信された電波を前置増幅器で増幅した後にチューナに送る経路と、アンテナで受信された電波をそのままチューナに送る経路とを切り換えるようにしたデジタル移動受信用デジタル放送受信機において、ハンチングの発生を防止できるデジタル移動受信用デジタル放送受信機を提供することを目的とする。【解決手段】  デジタル移動受信用デジタル放送受信機において、ＩＦ−ＡＧＣ制御電圧がＩＦ−ＡＧＣ制御範囲内に設定された第１の閾値を上回ったときに、アンテナによって受信されたＲＦ入力信号を前置増幅器を介してチューナに送るように切り換えスイッチを制御し、ＲＦ−ＡＧＣ制御電圧がＲＦ−ＡＧＣ制御範囲内に設定された第２の閾値を下回ったときに、アンテナによって受信されたＲＦ入力信号を前置増幅器をバイパスさせてチューナに送るように切り換えスイッチを制御する制御手段を備えている。【選択図】  図１
2006261710.tif 000002
【特許請求の範囲】
【請求項１】
アンテナ、アンテナによって受信されたＲＦ入力信号を増幅するための前置増幅器、ＲＦ−ＡＧＣ回路およびＩＦ−ＡＧＣ回路を含みかつアンテナまたは前置増幅器から送られてくるＲＦ入力信号から任意の物理チャンネルを選局するためのチューナ、ならびにチューナによって得られたＩＦ信号に対してＯＦＤＭ復調処理を行うＯＦＤＭ復調回路を備えているとともに、アンテナによって受信されたＲＦ入力信号を前置増幅器を介してチューナに送るか、アンテナによって受信されたＲＦ入力信号を前置増幅器をバイパスさせてチューナに送るかを切り換えるための切換スイッチを備えたデジタル移動受信用デジタル放送受信機において、
ＩＦ−ＡＧＣ制御電圧がＩＦ−ＡＧＣ制御範囲内に設定された第１の閾値を上回ったときに、アンテナによって受信されたＲＦ入力信号を前置増幅器を介してチューナに送るように切り換えスイッチを制御し、ＲＦ−ＡＧＣ制御電圧がＲＦ−ＡＧＣ制御範囲内に設定された第２の閾値を下回ったときに、アンテナによって受信されたＲＦ入力信号を前置増幅器をバイパスさせてチューナに送るように切り換えスイッチを制御する制御手段を備えていることを特徴とするデジタル移動受信用デジタル放送受信機。
【請求項２】
アンテナ、アンテナによって受信されたＲＦ入力信号を増幅するための前置増幅器、ＲＦ−ＡＧＣ回路およびＩＦ−ＡＧＣ回路を含みかつアンテナまたは前置増幅器から送られてくるＲＦ入力信号から任意の物理チャンネルを選局するためのチューナ、ならびにチューナによって得られたＩＦ信号に対してＯＦＤＭ復調処理を行うＯＦＤＭ復調回路を備えているとともに、アンテナによって受信されたＲＦ入力信号を前置増幅器を介してチューナに送るか、アンテナによって受信されたＲＦ入力信号を前置増幅器をバイパスさせてチューナに送るかを切り換えるための切換スイッチを備えたデジタル移動受信用デジタル放送受信機において、
ＩＦ−ＡＧＣ制御電圧がＩＦ−ＡＧＣ制御範囲内に設定された第１の閾値を上回ったときに、アンテナによって受信されたＲＦ入力信号を前置増幅器を介してチューナに送るように切り換えスイッチを制御し、ＩＦ−ＡＧＣ制御電圧がＩＦ−ＡＧＣ制御範囲内に設定された第２の閾値を下回ったときに、アンテナによって受信されたＲＦ入力信号を前置増幅器をバイパスさせてチューナに送るように切り換えスイッチを制御する制御手段を備えていることを特徴とするデジタル移動受信用デジタル放送受信機。
【請求項３】
第１系統の受信回路と第２系統の受信回路とを備え、これらの２系統の受信回路によって得られた信号に基づいて１系統分の信号を生成するダイバシティ方式のデジタル移動受信用デジタル放送受信機であって、各受信系統は、アンテナ、アンテナによって受信されたＲＦ入力信号を増幅するための前置増幅器、ＲＦ−ＡＧＣ回路およびＩＦ−ＡＧＣ回路を含みかつアンテナまたは前置増幅器から送られてくるＲＦ入力信号から任意の物理チャンネルを選局するためのチューナ、ならびにチューナによって得られたＩＦ信号に対してＯＦＤＭ復調処理を行うＯＦＤＭ復調回路を備えているとともに、アンテナによって受信されたＲＦ入力信号を前置増幅器を介してチューナに送るか、アンテナによって受信されたＲＦ入力信号を前置増幅器をバイパスさせてチューナに送るかを切り換えるための切換スイッチを備えているデジタル移動受信用デジタル放送受信機において、
原則的には、各受信系統毎に、ＩＦ−ＡＧＣ制御電圧がＩＦ−ＡＧＣ制御範囲内に設定された第１の閾値を上回ったときに、アンテナによって受信されたＲＦ入力信号を前置増幅器を介してチューナに送るように切り換えスイッチを制御し、ＲＦ−ＡＧＣ制御電圧がＲＦ−ＡＧＣ制御範囲内に設定された第２の閾値を下回ったときに、アンテナによって受信されたＲＦ入力信号を前置増幅器をバイパスさせてチューナに送るように切り換えスイッチを制御する第１制御手段、ならびに
両受信系統の切り換えスイッチが所定の短時間内に切り換えられるような状況が発生したときには、切り換える状況が先に発生した方の受信系統の切り換えスイッチを最初に切り換え、この後、一定時間経過した後に他方の受信系統の切り換えスイッチを切り換える第２制御手段を備えていることを特徴とするデジタル移動受信用デジタル放送受信機。
【請求項４】
第１系統の受信回路と第２系統の受信回路とを備え、これらの２系統の受信回路によって得られた信号に基づいて１系統分の信号を生成するダイバシティ方式のデジタル移動受信用デジタル放送受信機であって、各受信系統は、アンテナ、アンテナによって受信されたＲＦ入力信号を増幅するための前置増幅器、ＲＦ−ＡＧＣ回路およびＩＦ−ＡＧＣ回路を含みかつアンテナまたは前置増幅器から送られてくるＲＦ入力信号から任意の物理チャンネルを選局するためのチューナ、ならびにチューナによって得られたＩＦ信号に対してＯＦＤＭ復調処理を行うＯＦＤＭ復調回路を備えているとともに、アンテナによって受信されたＲＦ入力信号を前置増幅器を介してチューナに送るか、アンテナによって受信されたＲＦ入力信号を前置増幅器をバイパスさせてチューナに送るかを切り換えるための切換スイッチを備えているデジタル移動受信用デジタル放送受信機において、
原則的には、各受信系統毎に、ＩＦ−ＡＧＣ制御電圧がＩＦ−ＡＧＣ制御範囲内に設定された第１の閾値を上回ったときに、アンテナによって受信されたＲＦ入力信号を前置増幅器を介してチューナに送るように切り換えスイッチを制御し、ＲＦ−ＡＧＣ制御電圧がＲＦ−ＡＧＣ制御範囲内に設定された第２の閾値を下回ったときに、アンテナによって受信されたＲＦ入力信号を前置増幅器をバイパスさせてチューナに送るように切り換えスイッチを制御する第１制御手段、ならびに
両受信系統の切り換えスイッチが所定の短時間内に切り換えられるような状況が発生したときには、エラーレートの高い方の受信系統の切り換えスイッチを最初に切り換え、この後、一定時間経過した後に他方の受信系統の切り換えスイッチを切り換える第２制御手段を備えていることを特徴とするデジタル移動受信用デジタル放送受信機。
【請求項５】
第１系統の受信回路と第２系統の受信回路とを備え、これらの２系統の受信回路によって得られた信号に基づいて１系統分の信号を生成するダイバシティ方式のデジタル移動受信用デジタル放送受信機であって、各受信系統は、アンテナ、アンテナによって受信されたＲＦ入力信号を増幅するための前置増幅器、ＲＦ−ＡＧＣ回路およびＩＦ−ＡＧＣ回路を含みかつアンテナまたは前置増幅器から送られてくるＲＦ入力信号から任意の物理チャンネルを選局するためのチューナ、ならびにチューナによって得られたＩＦ信号に対してＯＦＤＭ復調処理を行うＯＦＤＭ復調回路を備えているとともに、アンテナによって受信されたＲＦ入力信号を前置増幅器を介してチューナに送るか、アンテナによって受信されたＲＦ入力信号を前置増幅器をバイパスさせてチューナに送るかを切り換えるための切換スイッチを備えているデジタル移動受信用デジタル放送受信機において、
原則的には、各受信系統毎に、ＩＦ−ＡＧＣ制御電圧がＩＦ−ＡＧＣ制御範囲内に設定された第１の閾値を上回ったときに、アンテナによって受信されたＲＦ入力信号を前置増幅器を介してチューナに送るように切り換えスイッチを制御し、ＩＦ−ＡＧＣ制御電圧がＩＦ−ＡＧＣ制御範囲内に設定された第２の閾値を下回ったときに、アンテナによって受信されたＲＦ入力信号を前置増幅器をバイパスさせてチューナに送るように切り換えスイッチを制御する第１制御手段、ならびに
両受信系統の切り換えスイッチが所定の短時間内に切り換えられるような状況が発生したときには、切り換える状況が先に発生した方の受信系統の切り換えスイッチを最初に切り換え、この後、一定時間経過した後に他方の受信系統の切り換えスイッチを切り換える第２制御手段を備えていることを特徴とするデジタル移動受信用デジタル放送受信機。
【請求項６】
第１系統の受信回路と第２系統の受信回路とを備え、これらの２系統の受信回路によって得られた信号に基づいて１系統分の信号を生成するダイバシティ方式のデジタル移動受信用デジタル放送受信機であって、各受信系統は、アンテナ、アンテナによって受信されたＲＦ入力信号を増幅するための前置増幅器、ＲＦ−ＡＧＣ回路およびＩＦ−ＡＧＣ回路を含みかつアンテナまたは前置増幅器から送られてくるＲＦ入力信号から任意の物理チャンネルを選局するためのチューナ、ならびにチューナによって得られたＩＦ信号に対してＯＦＤＭ復調処理を行うＯＦＤＭ復調回路を備えているとともに、アンテナによって受信されたＲＦ入力信号を前置増幅器を介してチューナに送るか、アンテナによって受信されたＲＦ入力信号を前置増幅器をバイパスさせてチューナに送るかを切り換えるための切換スイッチを備えているデジタル移動受信用デジタル放送受信機において、
原則的には、各受信系統毎に、ＩＦ−ＡＧＣ制御電圧がＩＦ−ＡＧＣ制御範囲内に設定された第１の閾値を上回ったときに、アンテナによって受信されたＲＦ入力信号を前置増幅器を介してチューナに送るように切り換えスイッチを制御し、ＩＦ−ＡＧＣ制御電圧がＩＦ−ＡＧＣ制御範囲内に設定された第２の閾値を下回ったときに、アンテナによって受信されたＲＦ入力信号を前置増幅器をバイパスさせてチューナに送るように切り換えスイッチを制御する第１制御手段、ならびに
両受信系統の切り換えスイッチが所定の短時間内に切り換えられるような状況が発生したときには、エラーレートの高い方の受信系統の切り換えスイッチを最初に切り換え、この後、一定時間経過した後に他方の受信系統の切り換えスイッチを切り換える第２制御手段を備えていることを特徴とするデジタル移動受信用デジタル放送受信機。
【発明の詳細な説明】
【技術分野】
【０００１】
この発明は、デジタル放送を移動受信するためのデジタル移動受信用デジタル放送受信機に関する。
【背景技術】
【０００２】
デジタル移動受信用デジタル放送受信機として、アンテナで受信された電波を前置増幅器で増幅した後にチューナに送る経路と、アンテナで受信された電波をそのままチューナに送る経路とを切り換えるようにしたものがある。従来は、チューナによって得られるＩＦレベルが単一の閾値を越えたか否かに基づいて、上記経路の切り換えを行っている。
【０００３】
しかしながら、このような切り換えを行うと、激しい電界強度変動下においては、切換頻度が多くなるとともに、ハンチングが起こるおそれがあるという問題がある。
【発明の開示】
【発明が解決しようとする課題】
【０００４】
この発明は、アンテナによって受信されたＲＦ入力信号を前置増幅器を介してチューナに送るか、アンテナによって受信されたＲＦ入力信号を前置増幅器をバイパスさせてチューナに送るかを切り換えるための切換スイッチを備えているデジタル移動受信用デジタル放送受信機において、ハンチングの発生を防止できるデジタル移動受信用デジタル放送受信機を提供することを目的とする。
【０００５】
また、この発明は、２つの受信系統を備えかつ各受信系統がアンテナによって受信されたＲＦ入力信号を前置増幅器を介してチューナに送るか、アンテナによって受信されたＲＦ入力信号を前置増幅器をバイパスさせてチューナに送るかを切り換えるための切換スイッチを備えているダイバシティ方式のデジタル移動受信用デジタル放送受信機において、両受信系統の切り換えスイッチがほぼ同時に切り換えられるといったことを防止できるデジタル移動受信用デジタル放送受信機を提供することを目的とする。
【課題を解決するための手段】
【０００６】
請求項１に記載の発明は、アンテナ、アンテナによって受信されたＲＦ入力信号を増幅するための前置増幅器、ＲＦ−ＡＧＣ回路およびＩＦ−ＡＧＣ回路を含みかつアンテナまたは前置増幅器から送られてくるＲＦ入力信号から任意の物理チャンネルを選局するためのチューナ、ならびにチューナによって得られたＩＦ信号に対してＯＦＤＭ復調処理を行うＯＦＤＭ復調回路を備えているとともに、アンテナによって受信されたＲＦ入力信号を前置増幅器を介してチューナに送るか、アンテナによって受信されたＲＦ入力信号を前置増幅器をバイパスさせてチューナに送るかを切り換えるための切換スイッチを備えたデジタル移動受信用デジタル放送受信機において、ＩＦ−ＡＧＣ制御電圧がＩＦ−ＡＧＣ制御範囲内に設定された第１の閾値を上回ったときに、アンテナによって受信されたＲＦ入力信号を前置増幅器を介してチューナに送るように切り換えスイッチを制御し、ＲＦ−ＡＧＣ制御電圧がＲＦ−ＡＧＣ制御範囲内に設定された第２の閾値を下回ったときに、アンテナによって受信されたＲＦ入力信号を前置増幅器をバイパスさせてチューナに送るように切り換えスイッチを制御する制御手段を備えていることを特徴とする。
【０００７】
請求項２に記載の発明は、アンテナ、アンテナによって受信されたＲＦ入力信号を増幅するための前置増幅器、ＲＦ−ＡＧＣ回路およびＩＦ−ＡＧＣ回路を含みかつアンテナまたは前置増幅器から送られてくるＲＦ入力信号から任意の物理チャンネルを選局するためのチューナ、ならびにチューナによって得られたＩＦ信号に対してＯＦＤＭ復調処理を行うＯＦＤＭ復調回路を備えているとともに、アンテナによって受信されたＲＦ入力信号を前置増幅器を介してチューナに送るか、アンテナによって受信されたＲＦ入力信号を前置増幅器をバイパスさせてチューナに送るかを切り換えるための切換スイッチを備えたデジタル移動受信用デジタル放送受信機において、ＩＦ−ＡＧＣ制御電圧がＩＦ−ＡＧＣ制御範囲内に設定された第１の閾値を上回ったときに、アンテナによって受信されたＲＦ入力信号を前置増幅器を介してチューナに送るように切り換えスイッチを制御し、ＩＦ−ＡＧＣ制御電圧がＩＦ−ＡＧＣ制御範囲内に設定された第２の閾値を下回ったときに、アンテナによって受信されたＲＦ入力信号を前置増幅器をバイパスさせてチューナに送るように切り換えスイッチを制御する制御手段を備えていることを特徴とする。
【０００８】
請求項３に記載の発明は、第１系統の受信回路と第２系統の受信回路とを備え、これらの２系統の受信回路によって得られた信号に基づいて１系統分の信号を生成するダイバシティ方式のデジタル移動受信用デジタル放送受信機であって、各受信系統は、アンテナ、アンテナによって受信されたＲＦ入力信号を増幅するための前置増幅器、ＲＦ−ＡＧＣ回路およびＩＦ−ＡＧＣ回路を含みかつアンテナまたは前置増幅器から送られてくるＲＦ入力信号から任意の物理チャンネルを選局するためのチューナ、ならびにチューナによって得られたＩＦ信号に対してＯＦＤＭ復調処理を行うＯＦＤＭ復調回路を備えているとともに、アンテナによって受信されたＲＦ入力信号を前置増幅器を介してチューナに送るか、アンテナによって受信されたＲＦ入力信号を前置増幅器をバイパスさせてチューナに送るかを切り換えるための切換スイッチを備えているデジタル移動受信用デジタル放送受信機において、原則的には、各受信系統毎に、ＩＦ−ＡＧＣ制御電圧がＩＦ−ＡＧＣ制御範囲内に設定された第１の閾値を上回ったときに、アンテナによって受信されたＲＦ入力信号を前置増幅器を介してチューナに送るように切り換えスイッチを制御し、ＲＦ−ＡＧＣ制御電圧がＲＦ−ＡＧＣ制御範囲内に設定された第２の閾値を下回ったときに、アンテナによって受信されたＲＦ入力信号を前置増幅器をバイパスさせてチューナに送るように切り換えスイッチを制御する第１制御手段、ならびに両受信系統の切り換えスイッチが所定の短時間内に切り換えられるような状況が発生したときには、切り換える状況が先に発生した方の受信系統の切り換えスイッチを最初に切り換え、この後、一定時間経過した後に他方の受信系統の切り換えスイッチを切り換える第２制御手段を備えていることを特徴とする。
【０００９】
請求項４に記載の発明は、第１系統の受信回路と第２系統の受信回路とを備え、これらの２系統の受信回路によって得られた信号に基づいて１系統分の信号を生成するダイバシティ方式のデジタル移動受信用デジタル放送受信機であって、各受信系統は、アンテナ、アンテナによって受信されたＲＦ入力信号を増幅するための前置増幅器、ＲＦ−ＡＧＣ回路およびＩＦ−ＡＧＣ回路を含みかつアンテナまたは前置増幅器から送られてくるＲＦ入力信号から任意の物理チャンネルを選局するためのチューナ、ならびにチューナによって得られたＩＦ信号に対してＯＦＤＭ復調処理を行うＯＦＤＭ復調回路を備えているとともに、アンテナによって受信されたＲＦ入力信号を前置増幅器を介してチューナに送るか、アンテナによって受信されたＲＦ入力信号を前置増幅器をバイパスさせてチューナに送るかを切り換えるための切換スイッチを備えているデジタル移動受信用デジタル放送受信機において、原則的には、各受信系統毎に、ＩＦ−ＡＧＣ制御電圧がＩＦ−ＡＧＣ制御範囲内に設定された第１の閾値を上回ったときに、アンテナによって受信されたＲＦ入力信号を前置増幅器を介してチューナに送るように切り換えスイッチを制御し、ＲＦ−ＡＧＣ制御電圧がＲＦ−ＡＧＣ制御範囲内に設定された第２の閾値を下回ったときに、アンテナによって受信されたＲＦ入力信号を前置増幅器をバイパスさせてチューナに送るように切り換えスイッチを制御する第１制御手段、ならびに両受信系統の切り換えスイッチが所定の短時間内に切り換えられるような状況が発生したときには、エラーレートの高い方の受信系統の切り換えスイッチを最初に切り換え、この後、一定時間経過した後に他方の受信系統の切り換えスイッチを切り換える第２制御手段を備えていることを特徴とする。
【００１０】
請求項５に記載の発明は、第１系統の受信回路と第２系統の受信回路とを備え、これらの２系統の受信回路によって得られた信号に基づいて１系統分の信号を生成するダイバシティ方式のデジタル移動受信用デジタル放送受信機であって、各受信系統は、アンテナ、アンテナによって受信されたＲＦ入力信号を増幅するための前置増幅器、ＲＦ−ＡＧＣ回路およびＩＦ−ＡＧＣ回路を含みかつアンテナまたは前置増幅器から送られてくるＲＦ入力信号から任意の物理チャンネルを選局するためのチューナ、ならびにチューナによって得られたＩＦ信号に対してＯＦＤＭ復調処理を行うＯＦＤＭ復調回路を備えているとともに、アンテナによって受信されたＲＦ入力信号を前置増幅器を介してチューナに送るか、アンテナによって受信されたＲＦ入力信号を前置増幅器をバイパスさせてチューナに送るかを切り換えるための切換スイッチを備えているデジタル移動受信用デジタル放送受信機において、原則的には、各受信系統毎に、ＩＦ−ＡＧＣ制御電圧がＩＦ−ＡＧＣ制御範囲内に設定された第１の閾値を上回ったときに、アンテナによって受信されたＲＦ入力信号を前置増幅器を介してチューナに送るように切り換えスイッチを制御し、ＩＦ−ＡＧＣ制御電圧がＩＦ−ＡＧＣ制御範囲内に設定された第２の閾値を下回ったときに、アンテナによって受信されたＲＦ入力信号を前置増幅器をバイパスさせてチューナに送るように切り換えスイッチを制御する第１制御手段、ならびに両受信系統の切り換えスイッチが所定の短時間内に切り換えられるような状況が発生したときには、切り換える状況が先に発生した方の受信系統の切り換えスイッチを最初に切り換え、この後、一定時間経過した後に他方の受信系統の切り換えスイッチを切り換える第２制御手段を備えていることを特徴とする。
【００１１】
請求項６に記載の発明は、第１系統の受信回路と第２系統の受信回路とを備え、これらの２系統の受信回路によって得られた信号に基づいて１系統分の信号を生成するダイバシティ方式のデジタル移動受信用デジタル放送受信機であって、各受信系統は、アンテナ、アンテナによって受信されたＲＦ入力信号を増幅するための前置増幅器、ＲＦ−ＡＧＣ回路およびＩＦ−ＡＧＣ回路を含みかつアンテナまたは前置増幅器から送られてくるＲＦ入力信号から任意の物理チャンネルを選局するためのチューナ、ならびにチューナによって得られたＩＦ信号に対してＯＦＤＭ復調処理を行うＯＦＤＭ復調回路を備えているとともに、アンテナによって受信されたＲＦ入力信号を前置増幅器を介してチューナに送るか、アンテナによって受信されたＲＦ入力信号を前置増幅器をバイパスさせてチューナに送るかを切り換えるための切換スイッチを備えているデジタル移動受信用デジタル放送受信機において、原則的には、各受信系統毎に、ＩＦ−ＡＧＣ制御電圧がＩＦ−ＡＧＣ制御範囲内に設定された第１の閾値を上回ったときに、アンテナによって受信されたＲＦ入力信号を前置増幅器を介してチューナに送るように切り換えスイッチを制御し、ＩＦ−ＡＧＣ制御電圧がＩＦ−ＡＧＣ制御範囲内に設定された第２の閾値を下回ったときに、アンテナによって受信されたＲＦ入力信号を前置増幅器をバイパスさせてチューナに送るように切り換えスイッチを制御する第１制御手段、ならびに両受信系統の切り換えスイッチが所定の短時間内に切り換えられるような状況が発生したときには、エラーレートの高い方の受信系統の切り換えスイッチを最初に切り換え、この後、一定時間経過した後に他方の受信系統の切り換えスイッチを切り換える第２制御手段を備えていることを特徴とする。
【発明の効果】
【００１２】
この発明によれば、アンテナによって受信されたＲＦ入力信号を前置増幅器を介してチューナに送るか、アンテナによって受信されたＲＦ入力信号を前置増幅器をバイパスさせてチューナに送るかを切り換えるための切換スイッチを備えているデジタル移動受信用デジタル放送受信機において、ハンチングの発生を防止できるようになる。
【００１３】
また、この発明によれば、２つの受信系統を備えかつ各受信系統がアンテナによって受信されたＲＦ入力信号を前置増幅器を介してチューナに送るか、アンテナによって受信されたＲＦ入力信号を前置増幅器をバイパスさせてチューナに送るかを切り換えるための切換スイッチを備えているダイバシティ方式のデジタル移動受信用デジタル放送受信機において、両受信系統の切り換えスイッチがほぼ同時に切り換えられるといったことを防止できるようになる。
【発明を実施するための最良の形態】
【００１４】
以下、図面を参照して、この発明の実施例について説明する。
【実施例１】
【００１５】
図１は、デジタル移動受信用デジタル放送受信機の構成を示している。
【００１６】
１２は、受信機本体である。１、１’は、車体に設置されたアンテナである。１１、１１’は、それぞれアンテナ１、１’に接続された前置増幅器ブロックである。
【００１７】
前置増幅器ブロック１１、１１’は、それぞれスイッチ２、２’と前置増幅器３、３’とを備えている。スイッチ２、２’は、アンテナ１、１’で受信されたＲＦ信号を前置増幅器３、３’で増幅した後にチューナ４、４’に送る経路と、アンテナ１、１’で受信されたＲＦ信号をそのままチューナ４，４’に送る経路とを切り換えるためのスイッチである。これらのスイッチ２、２’はＣＰＵ１３によって制御される。
【００１８】
６は、前置増幅器ブロック１１に接続されたマスター側フロントエンドであり、６’は前置増幅器ブロック１１’に接続されたスレーブ側フロントエンドである。各フロントエンド６、６’は、それぞれ任意の物理チャンネルを選局するチューナ４、４’と、ＯＦＤＭ復調器５、５’を備えている。
【００１９】
マスター側フロントエンド６およびスレーブ側フロントエンド６’においては、チューナ４、４’によって互いに同一周波数の放送チャンネルを選局受信し、６ＭＨｚ帯のＩＦ信号をＯＦＤＭ復調器５、５’に入力する。ＯＦＤＭ復調器５、５’は、入力されたＩＦ信号をデジタルデータに変換した後、直交変換およびＦＦＴ(Fast Fourier Transform)変換を行ない、帯域内に複数存在するキャリアを抽出する。
【００２０】
ＦＦＴ変換の後、マスター側で再生されたシンボルとスレーブ側で再生されたシンボルとが選択または合成され、階層分割、周波数、時間デ・インタリーブ、ビダビ復号、ＲＳ復号が行われ、ＭＰＥＧ−ＴＳ（Transport Stream) が生成される。このＭＰＥＧ−ＴＳは、ＡＶデコーダ７に送られる。
【００２１】
ＡＶデコーダ７は、ＭＰＥＧ−ＴＳをデコードして、ベースバンド映像信号およびベースバンド音声信号を得る。ベースバンド映像信号は、映像表示部８に送られて表示される。また、ベースバンド音声信号は、オーディオアンプ９によって増幅された後、スピーカ１０に送られて出力される。
【００２２】
ところで、移動しながら放送受信を行うと、地形や構造物の影響や、直接波と反射波の干渉等により、受信電界は常時複雑で大きな変動を伴うことから、この実施例では、移動体で安定した放送を受信する方法として、複数のアンテナを異なった場所に設置するダイバーシティ方式が用いられている。
【００２３】
また、車載アンテナとしては固定受信のような大型で利得の大きいアンテナを使用できないので利得補償を行う必要があること、送信所から離れたり、地形や構造物の影響で電界強度が低下した場合でも受信を可能とする必要があることから、アンテナとチューナとの間に前置増幅器を挿入できるようにしている。なお、強電界下では、前置増幅器を挿入するとひずみが増加するので、前置増幅器をバイパスできるような構成としている。
【００２４】
図２は、マスター側のアンテナ１の受信信号レベルと時間との関係（曲線ａ）およびスレーブ側のアンテナ１’の受信信号レベルと時間との関係（曲線ｂ）とを示している。
【００２５】
今、ある電界中を車で走行した場合、場所により電界強度は均一でないこととフェージングにより受信レベル変動が起き、図２に示すように、アンテナ１、１’に誘起される電圧（受信信号レベル）も時間とともに変動する。
【００２６】
チューナ４、４’はＲＦ−ＡＧＣ回路とＩＦ−ＡＧＣ回路とを含んでいる。つまり、チューナ４、４’には通常、ＲＦ−ＡＧＣとＩＦ−ＡＧＣとの２種類のＡＧＣがかけられている。この実施例では、ＲＦ−ＡＧＣについては、チューナ内部でレベル検出とゲイン制御が行われ、チューナ内部でＡＧＣループが完結している。これに対し、ＩＦ−ＡＧＣについては、ＯＦＤＭ復調器５、５’に入力されるＩＦレベルによって、ＯＦＤＭ復調器５、５’からの制御によりチューナ内部でゲインを変化させ、ＯＦＤＭ復調器５、５’への入力レベルが一定になるようにフィードバックがかかっている。
【００２７】
チューナ４、４’に入力されたＲＦ信号は、まずＲＦ−ＡＧＣによってＲＦレベルが一定にされた後、ＩＦ−ＡＧＣがかけられる。
【００２８】
図３は、ＲＦ入力レベルと、ＲＦ−ＡＧＣ制御電圧およびＩＦ−ＡＧＣ制御電圧との関係を示している。ＲＦ入力レベルが０〜（Ａ）の範囲を領域Ｅ１、（Ａ）〜（Ｂ）の範囲を領域Ｅ２、（Ｂ）〜（Ｃ）の範囲を領域Ｅ３、（Ｃ）以上の範囲を領域Ｅ４とする。
【００２９】
ＲＦ入力レベルが比較的高い領域Ｅ３（ＲＦ−ＡＧＣ制御範囲）では、ＲＦ−ＡＧＣ制御電圧（ＲＦ−ＡＧＣゲイン）は、入力されるＲＦレベルにより調整されるが、ＯＦＤＭ復調器５、５’に入力されるＩＦレベルは充分であるため、ＩＦ−ＡＧＣ制御電圧（ＩＦ−ＡＧＣゲイン）は低く保たれる。
【００３０】
領域Ｅ３よりＲＦ入力レベルが低下すると（領域Ｅ２（ＩＦ−ＡＧＣ制御範囲））、ＲＦ−ＡＧＣゲインは最大値となり、それよりゲインを上げることができなくなるので、ＲＦ−ＡＧＣゲインを最大値に保ったまま、周波数変換後のＩＦ信号に対してＩＦ−ＡＧＣによるレベル調整が行われる。つまり、ＩＦ−ＡＧＣのゲインがＩＦレベルにより調整される。この切り換えポイントが（Ｂ）である。
【００３１】
ＲＦ入力レベルがポイント（Ａ）以上であれば、アンテナ１、１’からのＲＦ入力レベルが低下してもＲＦ−ＡＧＣとＩＦ−ＡＧＣとによってゲイン調整が行われるため、ＯＦＤＭ復調器５、５’に入力されるＩＦレベルは一定となる。しかしながら、ＲＦ入力レベルがポイント（Ａ）より低下すると、既にＲＦ−ＡＧＣゲインおよびＩＦ−ＡＧＣゲインとも、最大値に達しているので、ＯＦＤＭ復調器５、５’に入力されるＩＦレベルは、ＲＦ入力レベルの低下に従って小さくなっていく。
【００３２】
すなわち、ＲＦ入力レベルがポイント（Ａ）より小さい領域Ｅ１では、ＡＧＣの効果がなく、レベルの小さいＩＦ信号しか得られないので、ＩＦ信号の品質は悪く、正常な復調ができなくなり、復調後のエラーが増加する。また、領域Ｅ２のＩＦ−ＡＧＣの制御範囲内であっても、ＲＦ入力レベルが小さくなると、Ｃ／Ｎ（Carrier to Noise Ratio) は次第に悪化していくので、復調後のエラーレートは高くなる。
【００３３】
電界強度の弱い場所での受信、すなわち、受信機へのＲＦ入力レベルが小さい場合、アンテナとチューナとの間に前置増幅器を挿入すると、受信Ｃ／Ｎが改善される場合があるので、復調後のエラーレートは改善されるが、電界強度の高いところで前置増幅器を挿入すると、ひずみが増加するので、逆にエラーレートが高くなる。
【００３４】
したがって、受信レベルにより、前置増幅器を挿入するように切り換えるレベルとしては、図３の（Ａ）と（Ｂ）の間の領域Ｅ２内のレベルに設定されるべきである。また、受信レベルにより前置増幅器をバイパスするように切り換えるレベルとしては、上述の前置増幅器を挿入するように切り換えるレベルよりも高いところ、または図３の（Ｂ）と（Ｃ）との間の領域Ｅ３内のレベルに設定されるべきである。
【００３５】
なお、前置増幅器を挿入するように切り換えるレベルとして領域Ｅ４内のレベルを設定した場合には、非常に高いＲＦレベルがチューナに入力されることになり、ひずみが増加するおそれがあるため好ましくない。また、前置増幅器を挿入するように切り換えるレベルとして領域Ｅ１内のレベルを設定した場合には、ＲＦ入力レベルが低いために、既にＣ／Ｎが劣化した状態となるため、好ましくない。
【００３６】
図４は、図３の領域Ｅ２内に、前置増幅器を挿入するように切り換えるレベル（ｔｈＬ）を設定するとともに、領域Ｅ３内に前置増幅器をバイパスするように切り換えるレベル（ｔｈＨ）を設定した場合の例を示している。なお、図４において、ｔｈＨ’は、上記ｔｈＨに対応するＲＦ−ＡＧＣゲインの閾値を示している。また、ｔｈＬ’は、上記ｔｈＬに対応するＩＦ−ＡＧＣゲインの閾値を示している。
【００３７】
この実施例では、ＣＰＵ１３は、ＩＦ−ＡＧＣ制御電圧が閾値ｔｈＬ’を上回ったときに前置増幅器を挿入するようにスイッチ２，２’を切り換え、ＲＦ−ＡＧＣ制御電圧が閾値ｔｈＨ’を下回ったときに前置増幅器をバイパスするように切換スイッチ２、２’切り換える。
【００３８】
このような切り換え制御を行うために、ＣＰＵ１３には、チューナ４、４’からＲＦ−ＡＧＣ制御電圧ｇ、ｇ’が送られるとともに、ＯＦＤＭ復調器５、５’からＩＦ−ＡＧＣ制御電圧ｆ、ｆ’が送られている。
【００３９】
図５は、アンテナとチューナとの間に前置増幅器が設けられていない場合の各部の信号を示している。ここでは、マスター側についてのみ説明する。
【００４０】
時点ｔ１〜ｔ２：チューナに入力されるＲＦ入力レベルが高く、ＲＦ−ＡＧＣの制御範囲を外れているため、ＲＦ−ＡＧＣ制御電圧（ＲＦ−ＡＧＣゲイン）は低い値で一定となっており、ＲＦ入力信号の変動分がＩＦ−ＡＧＣ出力に現れている。
【００４１】
時点ｔ２〜ｔ３：ＲＦ入力レベルが低下し、ＲＦ−ＡＧＣの制御範囲内となるため、ＲＦ−ＡＧＣ制御電圧（ＲＦ−ＡＧＣゲイン）が増加し、ＲＦ−ＡＧＣ出力を一定に保とうとする。この場合、ＩＦ−ＡＧＣは制御範囲外であるため、ＩＦ−ＡＧＣ制御電圧（ＩＦ−ＡＧＣゲイン）は一定である。
【００４２】
時点ｔ３〜ｔ５：さらにＲＦ入力レベルが低下し、ＲＦ−ＡＧＣの制御範囲を外れるため、ＲＦ−ＡＧＣ制御電圧（ＲＦ−ＡＧＣゲイン）は一定となるが、ＩＦ−ＡＧＣの制御範囲内となり、ＩＦ−ＡＧＣ制御電圧（ＩＦ−ＡＧＣゲイン）が増加し、ＩＦ−ＡＧＣ出力を一定に保とうとする。
【００４３】
時点ｔ５〜ｔ６：さらにＲＦ入力レベルが低下し、ＩＦ−ＡＧＣの制御範囲を外れるため、ＩＦ−ＡＧＣ出力レベルが低下する。ＩＦ−ＡＧＣ出力レベルの変動は、ＲＦ入力レベルの変動よりは抑えられるが、受信信号のＣ／Ｎが悪化する。
【００４４】
図６は、図１に示すように、アンテナとチューナとの間に前置増幅器が設けられてる場合の各部の信号を示している。マスター側とスレーブ側とにおいて、切り換えスイッチの制御方法は同じなので、ここでは、マスター側についてのみ説明する。
【００４５】
時点ｔ１〜ｔ２および時点ｔ２〜ｔ３の各部の信号は、図５と同じである。
【００４６】
時点ｔ３〜ｔ４：ＲＦ入力レベルが低下し、ＲＦ−ＡＧＣの制御範囲を外れるため、ＲＦ−ＡＧＣ制御電圧（ＲＦ−ＡＧＣゲイン）は一定となるが、ＩＦ−ＡＧＣの制御範囲内となり、ＩＦ−ＡＧＣ制御電圧（ＩＦ−ＡＧＣゲイン）が増加し、ＩＦ−ＡＧＣ出力を一定に保とうとする。
【００４７】
時点ｔ４：時点ｔ４において、ＩＦ−ＡＧＣ制御電圧が閾値ｔｈＬ’を上回ると、ＣＰＵ１３は、アンテナ１とチューナ４との間に前置増幅器を挿入するように切換スイッチ２を切り換える。この結果、アンテナ１で受信されたＲＦ信号は、前置増幅器３で増幅されるため、チューナに入力されるＲＦ入力レベルが高くなる。
【００４８】
時点ｔ４〜ｔ７：最初はアンテナの受信レベルがさらに下がるため、ＲＦ入力レベルも低下するが、図５の場合よりは高くなっている。そして、アンテナの受信レベルが増加し始めると、ＩＦ−ＡＧＣ制御電圧が低下し始め、ＩＦ−ＡＧＣ出力レベルを一定に保とうとする。そして、ＩＦ−ＡＧＣ制御電圧が閾値ｔｈＬ’を下回るが、切換スイッチ２の切り換えは行われない。
【００４９】
時点ｔ７〜時点ｔ８：時点ｔ７においてＩＦ−ＡＧＣ制御範囲を外れ、ＲＦ−ＡＧＣ制御範囲に入る。このため、時点ｔ７からＲＦ−ＡＧＣ制御電圧が低下し、ＲＦ−ＡＧＣ出力レベルが一定に保たれる。そして、時点ｔ８において、ＲＦ−ＡＧＣ制御電圧が閾値ｔｈＨ’を下回ると、ＣＰＵ１３は、受信ＲＦ信号が前置増幅器３をバイパスするように切換スイッチ２を切り換える。
【００５０】
このような一連の動作により、アンテナの受信レベルが下がっても、前置増幅器を設けない場合に比べて、最小となるＲＦ入力レベルが高くなるので、復調後のエラーが起こりにくくなる。また、アンテナの受信レベルが大きくなると、前置増幅器をバイパスさせているので、アンテナの受信レベルが大きくなった時に前置増幅器の出力が歪むといったことが防止される。
【００５１】
なお、マスター側の系統とスレーブ側の系統それぞれにおいて、スイッチ２、２’の制御が行われるが、図７に示すように、ＩＦ−ＡＧＣ制御電圧が閾値ｔｈＬ’を上回るタイミングが両系統において一致した場合には、一方の系統におけるスイッチの切り換えタイミングを、他方の系統におけるスイッチの切り換えタイミングより所定時間ｔdelay だけ遅らせるようにすることが好ましい。
【００５２】
これは、各系の前置増幅器の切り換えタイミングが短い時間間隔で行われると、一時的に受信復調が不安定になるおそれがあるからである。
【００５３】
図７において、実線Ｍはマスター側の系統の各部の信号を、破線Ｓはスレーブ側の系統の各部の信号を示している。この例では、両系統において、時点ｔａで、ＩＦ−ＡＧＣ制御電圧が閾値ｔｈＬ’を上回っている。このような場合、ＣＰＵ１３は、閾値を先に越えた系統側のスイッチを先に切り換え、その後一定時間経過後に他方の系統のスイッチを切り換える。
【００５４】
図７の例では、例えば、ＣＰＵ１３は、時点ｔａにおいて、マスター側の系統において、受信ＲＦ信号が前置増幅器３を通るように切換スイッチ２を切り換える。そして、時点ｔａより所定時間ｔdelay だけ遅れたタイミングで、ＣＰＵ１３は、スレーブ側の系統において、受信ＲＦ信号が前置増幅器３’を通るように切換スイッチ２’を切り換える。
【００５５】
図８は、ＣＰＵ１３によるスイッチ２、２’の切り換え制御処理手順を示している。
【００５６】
まず、この処理で用いられるフラグＡ１〜Ａ４、Ｂ１〜Ｂ４について説明する。
【００５７】
フラグＡ１は、マスター側の切換スイッチ２が、前置増幅器通過側（アンテナとチューナとの間に前置増幅器が挿入される側）に切り換えられたときにセット（Ａ１＝１）される。フラグＡ１がセットされると、所定時間を計時するためのタイマＴ１が起動され、所定時間が経過してタイマＴ１がタイムアップすると、フラグＡ１がリセット（Ａ１＝０）される。                                
【００５８】
フラグＢ１は、マスター側の切換スイッチ２が、前置増幅器通過側に切り換えられたときにセット（Ｂ１＝１）され、この切換えが生じなかった場合にはプログラムループを回る毎にリセット（Ｂ１＝０）される。
【００５９】
フラグＡ２は、スレーブ側の切換スイッチ２’が、前置増幅器通過側に切り換えられたときにセット（Ａ２＝１）される。フラグＡ２がセットされると、所定時間を計時するためのタイマＴ２が起動され、所定時間が経過してタイマＴ２がタイムアップすると、フラグＡ２がリセット（Ａ２＝０）される。                                
【００６０】
フラグＢ２は、スレーブ側の切換スイッチ２’が、前置増幅器通過側に切り換えられたときにセット（Ｂ２＝１）され、この切換えが生じなかった場合にはプログラムループを回る毎にリセット（Ｂ２＝０）される。
【００６１】
フラグＡ３は、マスター側の切換スイッチ２が、前置増幅器のバイパス側に切り換えられたときにセット（Ａ３＝１）される。フラグＡ３がセットされると、所定時間を計時するためのタイマＴ３が起動され、所定時間が経過してタイマＴ３がタイムアップすると、フラグＡ３がリセット（Ａ３＝０）される。
【００６２】
フラグＢ３は、マスター側の切換スイッチ２が、前置増幅器のバイパス側に切り換えられたときにセット（Ｂ３＝１）され、この切換えが生じなかった場合にはプログラムループを回る毎にリセット（Ｂ３＝０）される。
【００６３】
フラグＡ４は、スレーブ側の切換スイッチ２’が、前置増幅器のバイパス側に切り換えられたときにセット（Ａ４＝１）される。フラグＡ４がセットされると、所定時間を計時するためのタイマＴ４が起動され、所定時間が経過してタイマＴ４がタイムアップすると、フラグＡ４がリセット（Ａ４＝０）される。
【００６４】
フラグＢ４は、スレーブ側の切換スイッチ２’が、前置増幅器のバイパス側に切り換えられたときにセット（Ｂ４＝１）され、この切換えが生じなかった場合にはプログラムループを回る毎にリセット（Ｂ４＝０）される。
【００６５】
タイマＴ１〜Ｔ４が計時する所定時間とは、切換スイッチ２、２’が切り換わった際に、ＯＦＤＭ復調器５、５’に入力するＩＦ−ＡＧＣ出力レベルが一瞬変動するが、この変動が収束するのに必要な時間であり、例えば、数１０ｍｓ〜数１００ｍｓの範囲内の時間に設定される。なお、各フラグＡ１〜Ａ４、Ｂ１〜Ｂ４は電源オン時にリセットされる。      
【００６６】
まず、マスター側のＩＦ−ＡＧＣの制御電圧が閾値ｔｈＬ’を上回ったか否かを判別する（ステップＳ０１）。マスター側のＩＦ−ＡＧＣの制御電圧が閾値ｔｈＬ’を上回っていない場合には、フラグＢ１をリセット（Ｂ１＝０）した後（ステップＳ０６）、スレーブ側のＩＦ−ＡＧＣの制御電圧が閾値ｔｈＬ’を上回ったか否かを判別する（ステップＳ１１）。
【００６７】
スレーブ側のＩＦ−ＡＧＣの制御電圧が閾値ｔｈＬ’を上回っていない場合には、フラグＢ２をリセット（Ｂ２＝０）した後（ステップＳ１６）、マスター側のＲＦ−ＡＧＣの制御電圧が閾値ｔｈＨ’を下回ったか否かを判別する（ステップＳ２１）。マスター側のＲＦ−ＡＧＣの制御電圧が閾値ｔｈＨ’を下回っていない場合には、フラグＢ３をリセット（Ｂ３＝０）した後（ステップＳ２６）、スレーブ側のＲＦ−ＡＧＣの制御電圧が閾値ｔｈＨ’を下回ったか否かを判別する（ステップＳ３１）。スレーブ側のＲＦ−ＡＧＣの制御電圧が閾値ｔｈＨ’を下回っていない場合には、フラグＢ４をリセット（Ｂ４＝０）した後（ステップＳ３６）、ステッブＳ０１に戻る。
【００６８】
ステップＳ０１において、マスター側のＩＦ−ＡＧＣの制御電圧が閾値ｔｈＬ’を上回ったと判別した場合には、フラグＢ１がリセット（Ｂ１＝０）されているか否かを判別する（ステップＳ０２）。フラグＢ１がリセット（Ｂ１＝０）されている場合には、ステップＳ０３に移行する。つまり、前回のプログラムループにおいて、マスター側の切換スイッチ２が前置増幅器通過側に切り換えられておらず、かつ今回のプログラムループにおいてマスター側のＩＦ−ＡＧＣの制御電圧が閾値ｔｈＬ’を上回ったときにのみ、ステップＳ０３に移行する。
【００６９】
ステップＳ０３では、フラグＡ２およびＡ４の両方がリセットされているか否かを判別する。フラグＡ２およびＡ４の両方がリセットされている場合には、スレーブ側の切換スイッチ２’が現時点付近において切り換えられておらず、ＩＦ−ＡＧＣレベルが不安定な期間ではないと判別し、マスター側の切換スイッチ２を前置増幅器通過側に切り換える（ステップＳ０４）。また、フラグＡ１をセット（Ａ１＝１）するとともに、タイマＴ１を起動する（ステップＳ０５）。さらに、次回のプログラムループでフラグＡ１が再度セットされないようにするためにフラグＢ１をセット（Ｂ１＝１）した後（ステップＳ０７）、ステップＳ１１に移行する。なお、上記ステップＳ０５でセットされたフラグＡ１は、タイマＴ１がタイムアップすると、リセットされる。
【００７０】
上記ステップＳ０３において、フラグＡ２およびＡ４の少なくとも一方がセットされるていると判別した場合には、スレーブ側の切換スイッチ２’が現時点付近において切り換えられているため、マスター側の切換スイッチ２の切り換えを行うことなくステップＳ０６に移行し、フラグＢ１をリセット（Ｂ１＝０）とする。そして、ステップＳ１１に移行する。
【００７１】
上記ステップＳ０２において、フラグＢ１がセット（Ｂ１＝１）されていると判別した場合には、前回のプログラムループにおいてマスター側の切換スイッチ２が前置増幅器通過側に切り換えられているので、マスター側の切換スイッチ２の切り換えを行うことなくステップＳ０６に移行し、フラグＢ１をリセット（Ｂ１＝０）とする。そして、ステップＳ１１に移行する。
【００７２】
ステップＳ１１において、スレーブ側のＩＦ−ＡＧＣの制御電圧が閾値ｔｈＬ’を上回ったと判別した場合には、フラグＢ２がリセット（Ｂ２＝０）されているか否かを判別する（ステップＳ１２）。フラグＢ２がリセット（Ｂ２＝０）されている場合には、ステップＳ１３に移行する。つまり、前回のプログラムループにおいて、スレーブ側の切換スイッチ２’が前置増幅器通過側に切り換えられておらず、かつ今回のプログラムループにおいてスレーブ側の側のＩＦ−ＡＧＣの制御電圧が閾値ｔｈＬ’を上回ったときにのみ、ステップＳ１３に移行する。
【００７３】
ステップＳ１３では、フラグＡ１およびＡ３の両方がリセットされているか否かを判別する。フラグＡ１およびＡ３の両方がリセットされている場合には、マスター側の切換スイッチ２が現時点付近において切り換えられておらず、ＩＦ−ＡＧＣレベルが不安定な期間ではないと判別し、スレーブ側の切換スイッチ２’を前置増幅器通過側に切り換える（ステップＳ１４）。また、フラグＡ２をセット（Ａ２＝１）するとともに、タイマＴ２を起動する（ステップＳ１５）。さらに、次回のプログラムループでフラグＡ２が再度セットされないようにするためにフラグＢ２をセット（Ｂ２＝１）した後（ステップＳ１７）、ステップＳ２１に移行する。なお、上記ステップＳ１５でセットされたフラグＡ２は、タイマＴ２がタイムアップすると、リセットされる。
【００７４】
上記ステップＳ１３において、フラグＡ１およびＡ３の少なくとも一方がセットされるていると判別した場合には、マスター側の切換スイッチ２が現時点付近において切り換えられているため、スレーブ側の切換スイッチ２’の切り換えを行うことなくステップＳ１６に移行し、フラグＢ２をリセット（Ｂ２＝０）とする。そして、ステップＳ２１に移行する。
【００７５】
上記ステップＳ１２において、フラグＢ２がセット（Ｂ２＝１）されていると判別した場合には、前回のプログラムループにおいてスレーブ側の切換スイッチ２’が前置増幅器通過側に切り換えられているので、スレーブ側の切換スイッチ２’の切り換えを行うことなくステップＳ１６に移行し、フラグＢ２をリセット（Ｂ２＝０）とする。そして、ステップＳ２１に移行する。
【００７６】
ステップＳ２１において、マスター側のＲＦ−ＡＧＣの制御電圧が閾値ｔｈＨ’を下回ったと判別した場合には、フラグＢ３がリセット（Ｂ３＝０）されているか否かを判別する（ステップＳ２２）。フラグＢ３がリセット（Ｂ３＝０）されている場合には、ステップＳ２３に移行する。つまり、前回のプログラムループにおいて、マスター側の切換スイッチ２が前置増幅器バイパス側に切り換えられておらず、かつ今回のプログラムループにおいてマスター側のＲＦ−ＡＧＣの制御電圧が閾値ｔｈＨ’を下回ったときにのみ、ステップＳ２３に移行する。
【００７７】
ステップＳ２３では、フラグＡ２およびＡ４の両方がリセットされているか否かを判別する。フラグＡ２およびＡ４の両方がリセットされている場合には、スレーブ側の切換スイッチ２’が現時点付近において切り換えられておらず、ＲＦ−ＡＧＣレベルが不安定な期間ではないと判別し、マスター側の切換スイッチ２を前置増幅器バイパス側に切り換える（ステップＳ２４）。また、フラグＡ３をセット（Ａ３＝１）するとともに、タイマＴ３を起動する（ステップＳ２５）。さらに、次回のプログラムループでフラグＡ３が再度セットされないようにするためにフラグＢ３をセット（Ｂ３＝１）した後（ステップＳ２７）、ステップＳ３１に移行する。なお、上記ステップＳ２５でセットされたフラグＡ３は、タイマＴ３がタイムアップすると、リセットされる。
【００７８】
上記ステップＳ２３において、フラグＡ２およびＡ４の少なくとも一方がセットされるていると判別した場合には、スレーブ側の切換スイッチ２’が現時点付近において切り換えられているため、マスター側の切換スイッチ２の切り換えを行うことなくステップＳ２６に移行し、フラグＢ３をリセット（Ｂ３＝０）とする。そして、ステップＳ３１に移行する。
【００７９】
上記ステップＳ２２において、フラグＢ３がセット（Ｂ３＝１）されていると判別した場合には、前回のプログラムループにおいてマスター側の切換スイッチ２が前置増幅器バイパス側に切り換えられているので、マスター側の切換スイッチ２の切り換えを行うことなくステップＳ２６に移行し、フラグＢ３をリセット（Ｂ３＝０）とする。そして、ステップＳ３１に移行する。
【００８０】
ステップＳ３１において、スレーブ側のＲＦ−ＡＧＣの制御電圧が閾値ｔｈＨ’を下回ったと判別した場合には、フラグＢ４がリセット（Ｂ４＝０）されているか否かを判別する（ステップＳ３２）。フラグＢ４がリセット（Ｂ４＝０）されている場合には、ステップＳ３３に移行する。つまり、前回のプログラムループにおいて、スレーブ側の切換スイッチ２’が前置増幅器バイパス側に切り換えられておらず、かつ今回のプログラムループにおいてスレーブ側のＲＦ−ＡＧＣの制御電圧が閾値ｔｈＨ’を下回ったときにのみ、ステップＳ３３に移行する。
【００８１】
ステップＳ３３では、フラグＡ１およびＡ３の両方がリセットされているか否かを判別する。フラグＡ１およびＡ３の両方がリセットされている場合には、マスター側の切換スイッチ２が現時点付近において切り換えられておらず、ＲＦ−ＡＧＣレベルが不安定な期間ではないと判別し、スレーブ側の切換スイッチ２’を前置増幅器バイパス側に切り換える（ステップＳ３４）。また、フラグＡ４をセット（Ａ４＝１）するとともに、タイマＴ４を起動する（ステップＳ３５）。さらに、次回のプログラムループでフラグＡ４が再度セットされないようにするためにフラグＢ４をセット（Ｂ４＝１）した後（ステップＳ３７）、ステップＳ０１に移行する。なお、上記ステップＳ３５でセットされたフラグＡ４は、タイマＴ４がタイムアップすると、リセットされる。
【００８２】
上記ステップＳ３３において、フラグＡ１およびＡ３の少なくとも一方がセットされるていると判別した場合には、マスター側の切換スイッチ２が現時点付近において切り換えられているため、スレーブ側の切換スイッチ２’の切り換えを行うことなくステップＳ３６に移行し、フラグＢ４をリセット（Ｂ４＝０）とする。そして、ステップＳ０１に移行する。
【００８３】
上記ステップＳ３２において、フラグＢ４がセット（Ｂ４＝１）されていると判別した場合には、前回のプログラムループにおいてスレーブ側の切換スイッチ２’が前置増幅器バイパス側に切り換えられているので、スレーブ側の切換スイッチ２’の切り換えを行うことなくステップＳ３６に移行し、フラグＢ４をリセット（Ｂ４＝０）とする。そして、ステップＳ０１に移行する。
【００８４】
なお、マスター側とスレーブ側とにおいて、ＩＦ−ＡＧＣ制御電圧が閾値ｔｈＬ’をほぼ同時に上回った場合等のように、マスター側とスレーブ側との両方において切換スイッチ２、２’がほぼ同時に切り換えられるような状況が発生したときには、ＢＥＲ(Bit Error Rate)の高い方（エラーの多い方）の系統を先に切り換えるようにしてもよい。以下、この場合の切り換え制御処理について説明する。
【００８５】
図９および図１０は、ＣＰＵ１３によるスイッチ２、２’の切り換え制御処理手順を示している。
【００８６】
まず、この処理で用いられるフラグＡ１〜Ａ４、Ｂ１〜Ｂ４について説明する。
【００８７】
フラグＢ１〜Ｂ４は、図８で説明したフラグＢ１〜Ｂ４と同じである。
【００８８】
フラグＡ１は、フラグＢ１がリセットされている状態において、マスター側のＩＦ−ＡＧＣの制御電圧が閾値ｔｈＬ’を上回ったときにセット（Ａ１＝１）される。タイマＴ１はマスター側の切換スイッチ２が前置増幅器通過側に切り換えられたときに起動され、タイマＴ１がタイムアップすると、フラグＡ１がリセット（Ａ１＝０）される。
【００８９】
フラグＡ２は、フラグＢ２がリセットされている状態において、スレーブ側のＩＦ−ＡＧＣの制御電圧が閾値ｔｈＬ’を上回ったときにセット（Ａ２＝１）される。タイマＴ２はスレーブ側の切換スイッチ２’が前置増幅器通過側に切り換えられたときに起動され、タイマＴ２がタイムアップすると、フラグＡ２がリセット（Ａ２＝０）される。
【００９０】
フラグＡ３は、フラグＢ３がリセットされている状態において、マスター側のＲＦ−ＡＧＣの制御電圧が閾値ｔｈＨ’を下回ったときにセット（Ａ３＝１）される。タイマＴ３はマスター側の切換スイッチ２が前置増幅器バイパス側に切り換えられたときに起動され、タイマＴ３がタイムアップすると、フラグＡ３がリセット（Ａ３＝０）される。
【００９１】
フラグＡ４は、フラグＢ４がリセットされている状態において、スレーブ側のＲＦ−ＡＧＣの制御電圧が閾値ｔｈＨ’を下回ったときにセット（Ａ４＝１）される。タイマＴ４はスレーブ側の切換スイッチ２’が前置増幅器バイパス側に切り換えられたときに起動され、タイマＴ４がタイムアップすると、フラグＡ４がリセット（Ａ４＝０）される。
【００９２】
電源がオンとなると、各フラグＡ１〜Ａ４、Ｂ１〜Ｂ４がリセットされるとともに、各タイマＴ１〜Ｔ４がリセット（停止状態）される（ステップ１０２）。
【００９３】
マスター側のＩＦ−ＡＧＣの制御電圧が閾値ｔｈＬ’を上回ったか否かを判別する（ステップＳ１０３）。マスター側のＩＦ−ＡＧＣの制御電圧が閾値ｔｈＬ’を上回っていない場合には、フラグＢ１をリセット（Ｂ１＝０）した後（ステップＳ１０６）、スレーブ側のＩＦ−ＡＧＣの制御電圧が閾値ｔｈＬ’を上回ったか否かを判別する（ステップＳ１１３）。
【００９４】
スレーブ側のＩＦ−ＡＧＣの制御電圧が閾値ｔｈＬ’を上回っていない場合には、フラグＢ２をリセット（Ｂ２＝０）した後（ステップＳ１１６）、マスター側のＲＦ−ＡＧＣの制御電圧が閾値ｔｈＨ’を下回ったか否かを判別する（ステップＳ１２３）。マスター側のＲＦ−ＡＧＣの制御電圧が閾値ｔｈＨ’を下回っていない場合には、フラグＢ３をリセット（Ｂ３＝０）した後（ステップＳ１２６）、スレーブ側のＲＦ−ＡＧＣの制御電圧が閾値ｔｈＨ’を下回ったか否かを判別する（ステップＳ１３３）。スレーブ側のＲＦ−ＡＧＣの制御電圧が閾値ｔｈＨ’を下回っていない場合には、フラグＢ４をリセット（Ｂ４＝０）した後（ステップＳ１３６）、起動中のタイマがあるか否かを判別する（ステップ１４０）。起動中のタイマがある場合には、ステップＳ１０３に戻る。
【００９５】
上記ステップＳ１０３において、マスター側のＩＦ−ＡＧＣの制御電圧が閾値ｔｈＬ’を上回ったと判別した場合には、フラグＢ１がリセット（Ｂ１＝０）されているか否かを判別する（ステップＳ１０４）。フラグＢ１がリセット（Ｂ１＝０）されている場合には、フラグＡ１をセット（Ａ１＝１）する（ステップＳ１０５）。つまり、前回のプログラムループにおいて、マスター側の切換スイッチ２が前置増幅器通過側に切り換えられておらず、かつ今回のプログラムループにおいてマスター側のＩＦ−ＡＧＣの制御電圧が閾値ｔｈＬ’を上回ったときにのみ、フラグＡ１がセットされる。そして、ステップＳ１１３に移行する。上記ステップＳ１０４において、フラグＢ１がセット（Ｂ１＝１）されている場合には、フラグＢ１をリセット（Ｂ１＝０）した後（ステップＳ１０６）、ステップＳ１１３に移行する。
【００９６】
ステップＳ１１３において、スレーブ側のＩＦ−ＡＧＣの制御電圧が閾値ｔｈＬ’を上回ったと判別した場合には、フラグＢ２がリセット（Ｂ２＝０）されているか否かを判別する（ステップＳ１１４）。フラグＢ２がリセット（Ｂ２＝０）されている場合には、フラグＡ２をセット（Ａ２＝１）する（ステップＳ１１５）。つまり、前回のプログラムループにおいて、スレーブ側の切換スイッチ２’が前置増幅器通過側に切り換えられておらず、かつ今回のプログラムループにおいてスレーブ側のＩＦ−ＡＧＣの制御電圧が閾値ｔｈＬ’を上回ったときにのみ、フラグＡ２がセットされる。そして、ステップＳ１２３に移行する。上記ステップＳ１１４において、フラグＢ２がセット（Ｂ２＝１）されている場合には、フラグＢ２をリセット（Ｂ２＝０）した後（ステップＳ１１６）、ステップＳ１２３に移行する。
【００９７】
ステップＳ１２３において、マスター側のＲＦ−ＡＧＣの制御電圧が閾値ｔｈＨ’を下回ったと判別した場合には、フラグＢ３がリセット（Ｂ３＝０）されているか否かを判別する（ステップＳ１２４）。フラグＢ３がリセット（Ｂ３＝０）されている場合には、フラグＡ３をセット（Ａ３＝１）する（ステップＳ１２５）。つまり、前回のプログラムループにおいて、マスター側の切換スイッチ２が前置増幅器バイパスに切り換えられておらず、かつ今回のプログラムループにおいてマスター側のＲＦ−ＡＧＣの制御電圧が閾値ｔｈＨ’を下回ったときにのみ、フラグＡ３がセットされる。そして、ステップＳ１３３に移行する。上記ステップＳ１２４において、フラグＢ３がセット（Ｂ３＝１）されている場合には、フラグＢ３をリセット（Ｂ３＝０）した後（ステップＳ１２６）、ステップＳ１３３に移行する。
【００９８】
ステップＳ１３３において、スレーブ側のＲＦ−ＡＧＣの制御電圧が閾値ｔｈＨ’を下回ったと判別した場合には、フラグＢ４がリセット（Ｂ４＝０）されているか否かを判別する（ステップＳ１３４）。フラグＢ４がリセット（Ｂ４＝０）されている場合には、フラグＡ４をセット（Ａ４＝１）する（ステップＳ１３５）。つまり、前回のプログラムループにおいて、スレーブ側の切換スイッチ２’が前置増幅器バイパスに切り換えられておらず、かつ今回のプログラムループにおいてスレーブ側ののＲＦ−ＡＧＣの制御電圧が閾値ｔｈＨ’を下回ったときにのみ、フラグＡ４がセットされる。そして、ステップＳ１４０に移行する。上記ステップＳ１３４において、フラグＢ４がセット（Ｂ４＝１）されている場合には、フラグＢ４をリセット（Ｂ４＝０）した後（ステップＳ１３６）、ステップＳ１４０に移行する。
【００９９】
ステップＳ１４０において、起動中のタイマがないと判別した場合には、フラグＡ１およびフラグＡ２がともにセットされているか否かを判別する（ステップＳ１４１）。フラグＡ１およびフラグＡ２のうち少なくとも一方がリセットされている場合には、フラグＡ３およびフラグＡ４がともにセットされているか否かを判別する（ステップＳ１４２）。フラグＡ３およびフラグＡ４のうち少なくとも一方がリセットされている場合には、フラグＡ１およびフラグＡ４がともにセットされているか否かを判別する（ステップＳ１４３）。フラグＡ１およびフラグＡ４のうち少なくとも一方がリセットされている場合には、フラグＡ３およびフラグＡ２がともにセットされているか否かを判別する（ステップＳ１４４）。フラグＡ３およびフラグＡ２のうち少なくとも一方がリセットされている場合には、２つ以上のフラグがセットされていないと判別し、ステップＳ１５０に移行する。
【０１００】
ステップＳ１５０では、フラグＡ１がセットされているか否かを判別する。フラグＡ１がセットされていない場合には、フラグＡ２がセットされているか否かを判別する（ステップＳ１６０）。フラグＡ２がセットされていない場合には、フラグＡ３がセットされているか否かを判別する（ステップＳ１７０）。フラグＡ３がセットされていない場合には、フラグＡ４がセットされているか否かを判別する（ステップＳ１８０）。フラグＡ４がセットされていない場合には、ステップＳ１０３に戻る。
【０１０１】
上記ステップＳ１５０において、フラグＡ１がセットされていると判別した場合には、マスター側の切換スイッチ２を前置増幅器通過側に切り換える（ステップＳ１５１）。また、タイマＴ１を起動する（ステップＳ１５２）。さらに、次回のプログラムループでフラグＡ１が再度セットされないようにするためにフラグＢ１をセット（Ｂ１＝１）した後（ステップＳ１５３）、ステップＳ１６０に移行する。この場合、上記ステップＳ１０５でセットされたフラグＡ１は、タイマＴ１がタイムアップすると、リセットされる。
【０１０２】
上記ステップＳ１６０において、フラグＡ２がセットされていると判別した場合には、スレーブ側の切換スイッチ２’を前置増幅器通過側に切り換える（ステップＳ１６１）。また、タイマＴ２を起動する（ステップＳ１６２）。さらに、次回のプログラムループでフラグＡ２が再度セットされないようにするためにフラグＢ２をセット（Ｂ２＝１）した後（ステップＳ１６３）、ステップＳ１７０に移行する。この場合、上記ステップＳ１１５でセットされたフラグＡ２は、タイマＴ２がタイムアップすると、リセットされる。
【０１０３】
上記ステップＳ１７０において、フラグＡ３がセットされていると判別した場合には、マスター側の切換スイッチ２を前置増幅器バイパス側に切り換える（ステップＳ１７１）。また、タイマＴ３を起動する（ステップＳ１７２）。さらに、次回のプログラムループでフラグＡ３が再度セットされないようにするためにフラグＢ３をセット（Ｂ３＝１）した後（ステップＳ１７３）、ステップＳ１８０に移行する。この場合、上記ステップＳ１２５でセットされたフラグＡ３は、タイマＴ３がタイムアップすると、リセットされる。      
【０１０４】
上記ステップＳ１８０において、フラグＡ４がセットされていると判別した場合には、スレーブ側の切換スイッチ２’を前置増幅器バイパス側に切り換える（ステップＳ１８１）。また、タイマＴ４を起動する（ステップＳ１８２）。さらに、次回のプログラムループでフラグＡ４が再度セットされないようにするためにフラグＢ４をセット（Ｂ４＝１）した後（ステップＳ１８３）、ステップＳ１０３に移行する。この場合、上記ステップＳ１３５でセットされたフラグＡ４は、タイマＴ４がタイムアップすると、リセットされる。
【０１０５】
上記ステップＳ１４１においてフラグＡ１およびＡ２の両方がセットされていると判別された場合には、マスター側のＯＦＤＭ復調後のＢＥＲを取得するとともに（ステップＳ１９０）、スレーブ側のＯＦＤＭ復調後のＢＥＲを取得する（ステップＳ１９１）。
【０１０６】
そして、マスター側のＢＥＲがスレーブ側のＢＥＲより大きいか否かを判別する（ステップＳ１９２）。マスター側のＢＥＲがスレーブ側のＢＥＲより大きい場合には、マスター側の切換スイッチ２を前置増幅器通過側に切り換える（ステップＳ１９３）。また、タイマＴ１を起動する（ステップＳ１９４）。さらに、次回のプログラムループでフラグＡ１が再度セットされないようにするためにフラグＢ１をセット（Ｂ１＝１）した後（ステップＳ１９５）、ステップＳ１０３に移行する。フラグＡ１は、タイマＴ１がタイムアップすると、リセットされる。
【０１０７】
上記ステップＳ１９２において、スレーブ側のＢＥＲがマスター側のＢＥＲより大きいと判別された場合には、スレーブ側の切換スイッチ２’を前置増幅器通過側に切り換える（ステップＳ１９６）。また、タイマＴ２を起動する（ステップＳ１９７）。さらに、次回のプログラムループでフラグＡ２が再度セットされないようにするためにフラグＢ２をセット（Ｂ２＝１）した後（ステップＳ１９８）、ステップＳ１０３に移行する。フラグＡ２は、タイマＴ２がタイムアップすると、リセットされる。                              
【０１０８】
上記ステップＳ１４２においてフラグＡ３およびＡ４の両方がセットされていると判別された場合には、マスター側のＯＦＤＭ復調後のＢＥＲを取得するとともに（ステップＳ２９０）、スレーブ側のＯＦＤＭ復調後のＢＥＲを取得する（ステップＳ２９１）。
【０１０９】
そして、マスター側のＢＥＲがスレーブ側のＢＥＲより大きいか否かを判別する（ステップＳ２９２）。マスター側のＢＥＲがスレーブ側のＢＥＲより大きい場合には、マスター側の切換スイッチ２を前置増幅器バイパス側に切り換える（ステップＳ２９３）。また、タイマＴ３を起動する（ステップＳ２９４）。さらに、次回のプログラムループでフラグＡ３が再度セットされないようにするためにフラグＢ３をセット（Ｂ３＝１）した後（ステップＳ２９５）、ステップＳ１０３に移行する。フラグＡ３は、タイマＴ３がタイムアップすると、リセットされる。
【０１１０】
上記ステップＳ２９２において、スレーブ側のＢＥＲがマスター側のＢＥＲより大きいと判別された場合には、スレーブ側の切換スイッチ２’を前置増幅器バイパス側に切り換える（ステップＳ２９６）。また、タイマＴ４を起動する（ステップＳ２９７）。さらに、次回のプログラムループでフラグＡ４が再度セットされないようにするためにフラグＢ４をセット（Ｂ４＝１）した後（ステップＳ２９８）、ステップＳ１０３に移行する。フラグＡ４は、タイマＴ４がタイムアップすると、リセットされる。                          
【０１１１】
上記ステップＳ１４３においてフラグＡ１およびＡ４の両方がセットされていると判別された場合には、マスター側のＯＦＤＭ復調後のＢＥＲを取得するとともに（ステップＳ３９０）、スレーブ側のＯＦＤＭ復調後のＢＥＲを取得する（ステップＳ３９１）。
【０１１２】
そして、マスター側のＢＥＲがスレーブ側のＢＥＲより大きいか否かを判別する（ステップＳ３９２）。マスター側のＢＥＲがスレーブ側のＢＥＲより大きい場合には、マスター側の切換スイッチ２を前置増幅器通過側に切り換える（ステップＳ３９３）。また、タイマＴ１を起動する（ステップＳ３９４）。さらに、次回のプログラムループでフラグＡ１が再度セットされないようにするためにフラグＢ１をセット（Ｂ１＝１）した後（ステップＳ３９５）、ステップＳ１０３に移行する。フラグＡ１は、タイマＴ１がタイムアップすると、リセットされる。
【０１１３】
上記ステップＳ３９２において、スレーブ側のＢＥＲがマスター側のＢＥＲより大きいと判別された場合には、スレーブ側の切換スイッチ２’を前置増幅器バイパス側に切り換える（ステップＳ３９６）。また、タイマＴ４を起動する（ステップＳ３９７）。さらに、次回のプログラムループでフラグＡ４が再度セットされないようにするためにフラグＢ４をセット（Ｂ４＝１）した後（ステップＳ３９８）、ステップＳ１０３に移行する。フラグＡ４は、タイマＴ４がタイムアップすると、リセットされる。
【０１１４】
上記ステップＳ１４４においてフラグＡ３およびＡ２の両方がセットされていると判別された場合には、マスター側のＯＦＤＭ復調後のＢＥＲを取得するとともに（ステップＳ４９０）、スレーブ側のＯＦＤＭ復調後のＢＥＲを取得する（ステップＳ４９１）。
【０１１５】
そして、マスター側のＢＥＲがスレーブ側のＢＥＲより大きいか否かを判別する（ステップＳ４９２）。マスター側のＢＥＲがスレーブ側のＢＥＲより大きい場合には、マスター側の切換スイッチ２を前置増幅器バイパス側に切り換える（ステップＳ４９３）。また、タイマＴ３を起動する（ステップＳ４９４）。さらに、次回のプログラムループでフラグＡ３が再度セットされないようにするためにフラグＢ３をセット（Ｂ３＝１）した後（ステップＳ４９５）、ステップＳ１０３に移行する。フラグＡ３は、タイマＴ３がタイムアップすると、リセットされる。
【０１１６】
上記ステップＳ４９２において、スレーブ側のＢＥＲがマスター側のＢＥＲより大きいと判別された場合には、スレーブ側の切換スイッチ２’を前置増幅器通過側に切り換える（ステップＳ４９６）。また、タイマＴ２を起動する（ステップＳ４９７）。さらに、次回のプログラムループでフラグＡ２が再度セットされないようにするためにフラグＢ２をセット（Ｂ２＝１）した後（ステップＳ４９８）、ステップＳ１０３に移行する。フラグＡ２は、タイマＴ２がタイムアップすると、リセットされる。                        
【実施例２】
【０１１７】
上記実施例１では、ＩＦ−ＡＧＣ制御電圧が閾値ｔｈＬ’を上回ったときに前置増幅器を挿入するようにスイッチ２，２’を切り換えている。また、ＲＦ−ＡＧＣ制御電圧が閾値ｔｈＨ’を下回ったときに前置増幅器をバイパスするように切換スイッチ２、２’切り換えている。
【０１１８】
実施例２では、ＩＦ−ＡＧＣ制御電圧に基づいて、前置増幅器を挿入するようにスイッチ２，２’を切り換えるとともに、前置増幅器をバイパスするように切換スイッチ２、２’切り換えるようにする。
【０１１９】
図１１は、デジタル移動受信用デジタル放送受信機の構成を示している。図１１において、図１と同じものには同じ符号を付してその説明を省略する。
【０１２０】
図１１のデジタル移動受信用デジタル放送受信機では、チューナ４、４’からＲＦ−ＡＧＣ制御電圧がＣＰＵ１３に与えられてない点において図１のデジタル移動受信用デジタル放送受信機と異なっている。図１１のデジタル移動受信用デジタル放送受信機においても、ＯＦＤＭ復調回路６、６’からＩＦ−ＡＧＣ制御電圧ｆ、ｆ’がＣＰＵ１３に与えられている。
【０１２１】
実施例２では、図１２に示すように、領域（ＩＦ−ＡＧＣ制御範囲）Ｅ２内に、前置増幅器を挿入するように切り換えるレベル（ｔｈＬ）が設定されるとともに、前置増幅器をバイパスするように切り換えるレベル（ｔｈＨ）が設定される。
【０１２２】
図１２において、ｔｈＨ’は、上記ｔｈＨに対応するＩＦ−ＡＧＣ制御電圧の閾値を示している。また、ｔｈＬ’は、上記ｔｈＬに対応するＩＦ−ＡＧＣ制御電圧の閾値を示している。
【０１２３】
実施例２では、ＣＰＵ１３は、ＩＦ−ＡＧＣ制御電圧が閾値ｔｈＬ’を上回ったときに前置増幅器を挿入するようにスイッチ２，２’を切り換え、ＩＦ−ＡＧＣ制御電圧が閾値ｔｈＨ’を下回ったときに前置増幅器をバイパスするように切換スイッチ２、２’切り換える。
【０１２４】
つまり、実施例１において、ＲＦ−ＡＧＣ制御電圧が閾値ｔｈＨ’を下回ったときに前置増幅器をバイパスするように切換スイッチ２、２’切り換えるのに換えて、実施例２では、ＩＦ−ＡＧＣ制御電圧が閾値ｔｈＨ’を下回ったときに前置増幅器をバイパスするように切換スイッチ２、２’切り換える。
【０１２５】
したがって、図８と同様な制御行う場合、実施例２では、図８のステップＳ２１では、マスター側のＩＦ−ＡＧＣ制御電圧が閾値ｔｈＨ’を下回ったか否かが判別され、図８のステップＳ３１では、スレーブ側のＩＦ−ＡＧＣ制御電圧が閾値ｔｈＨ’を下回ったか否かが判別される。
【０１２６】
また、図９および図１０と同様な制御行う場合、実施例２では、図９のステップＳ１２３では、マスター側のＩＦ−ＡＧＣ制御電圧が閾値ｔｈＨ’を下回ったか否かが判別され、図９のステップＳ１３３では、スレーブ側のＩＦ−ＡＧＣ制御電圧が閾値ｔｈＨ’を下回ったか否かが判別される。
【図面の簡単な説明】
【０１２７】
【図１】デジタル移動受信用デジタル放送受信機の構成を示すブロック図である。
【図２】マスター側のアンテナ１の受信信号レベルと時間との関係（曲線ａ）およびスレーブ側のアンテナ１’の受信信号レベルと時間との関係（曲線ｂ）とを示すグラフである。
【図３】ＲＦ入力レベルと、ＲＦ−ＡＧＣ制御電圧およびＩＦ−ＡＧＣ制御電圧との関係を示すグラフである。
【図４】図３の領域Ｅ２内に、前置増幅器を挿入するように切り換えるレベル（ｔｈＬ）を設定するとともに、領域Ｅ３内に前置増幅器をバイパスするように切り換えるレベル（ｔｈＨ）を設定した場合の例を示すグラフである。
【図５】アンテナとチューナとの間に前置増幅器が設けられていない場合の各部の信号を示すタイムチャートである。
【図６】図１に示すように、アンテナとチューナとの間に前置増幅器が設けられてる場合の各部の信号を示すタイムチャートである。
【図７】ＩＦ−ＡＧＣ制御電圧が閾値ｔｈＬ’を上回るタイミングが両系統において一致した場合には、一方の系統におけるスイッチの切り換えタイミングを、他方の系統におけるスイッチの切り換えタイミングより所定時間ｔdelay だけ遅らせるようにした場合のタイムチャートである。
【図８】ＣＰＵ１３によるスイッチ２、２’の切り換え制御処理手順を示すフローチャートである。
【図９】ＣＰＵ１３によるスイッチ２、２’の切り換え制御処理の一部の手順を示すフローチャートである。
【図１０】ＣＰＵ１３によるスイッチ２、２’の切り換え制御処理の一部の手順を示すフローチャートである。
【図１１】デジタル移動受信用デジタル放送受信機の構成を示すブロック図である。
【図１２】図３の領域（ＩＦ−ＡＧＣ制御範囲）Ｅ２内に、前置増幅器を挿入するように切り換えるレベル（ｔｈＬ）を設定するとともに、前置増幅器をバイパスするように切り換えるレベル（ｔｈＨ）を設定した場合の例を示すグラフである。
【符号の説明】
【０１２８】
１、１’  アンテナ
２、２’  スイッチ
３、３’前置増幅器
４、４’  チューナ
５、５’  ＯＦＤＭ復調器
６  マスター側フロントエンド
６’スレーブ側フロントエンド
１１、１１’  前置増幅器ブロック
１２  受信機本体
１３  ＣＰＵ
【図１】
2006261710.tif 000003
【図２】
2006261710.tif 000004
【図３】
2006261710.tif 000005
【図４】
2006261710.tif 000006
【図５】
2006261710.tif 000007
【図６】
2006261710.tif 000008
【図７】
2006261710.tif 000009
【図８】
2006261710.tif 000010
【図９】
2006261710.tif 000011
【図１０】
2006261710.tif 000012
【図１１】
2006261710.tif 000013
【図１２】
2006261710.tif 000014